(57)【特許請求の範囲】
【請求項１】
磁気データが記録された情報記録媒体を処理する媒体処理装置において、
読取用コイルを有する磁気ヘッドと、所定の動作を行う動作対象物と、電磁力によって駆動して前記動作対象物を動作させる駆動源と、前記磁気ヘッドからの出力信号に基づいて検出信号を生成するとともに前記駆動源を制御する制御部とを備え、
前記制御部は、前記読取用コイルの断線および前記駆動源の故障の少なくともいずれか一方を検知するために前記駆動源を駆動させる故障検知モードにおいて、前記読取用コイルが断線しておらず、かつ、前記駆動源が故障していない場合に、前記駆動源を駆動させた時に発生する磁気ノイズによって前記磁気ヘッドから出力された前記出力信号に基づく前記検出信号が生成されるように、前記駆動源を制御することを特徴とする媒体処理装置。
【請求項２】
前記動作対象物として、前記情報記録媒体が通過する媒体通過路を閉鎖するシャッタ部材を備え、
前記駆動源は、前記シャッタ部材を動作させるソレノイドであることを特徴とする請求項１記載の媒体処理装置。
【請求項３】
前記動作対象物として、前記情報記録媒体に接触してデータをやりとりするためのＩＣ接点ブロックを備え、
前記駆動源は、前記ＩＣ接点ブロックを動作させるソレノイドであることを特徴とする請求項１記載の媒体処理装置。
【請求項４】
前記情報記録媒体を搬送する搬送機構を備え、
前記搬送機構は、前記動作対象物として、駆動ローラを備え、
前記駆動源は、前記駆動ローラを動作させるモータであることを特徴とする請求項１記載の媒体処理装置。
【請求項５】
前記駆動源は、ＰＷＭ（Ｐｕｌｓｅ  Ｗｉｄｔｈ  Ｍｏｄｕｌａｔｉｏｎ）制御によって制御され、
前記制御部は、前記動作対象物を通常動作させるために前記駆動源を駆動させる通常動作モードと、前記故障検知モードとで、前記駆動源を制御するためのＰＷＭ信号の周波数を切り替えることを特徴とする請求項１から４のいずれかに記載の媒体処理装置。
【請求項６】
前記情報記録媒体を搬送する搬送機構を備え、
前記故障検知モードにおける前記ＰＷＭ信号の周波数は、前記搬送機構による前記情報記録媒体の搬送速度と前記情報記録媒体に記録された前記磁気データの記録密度とに基づいて設定されていることを特徴とする請求項５記載の媒体処理装置。
【請求項７】
前記制御部は、前記媒体処理装置が搭載される上位装置を制御する上位制御部に接続されていることを特徴とする請求項１から６のいずれかに記載の媒体処理装置。
【請求項８】
読取用コイルを有する磁気ヘッドを備え、磁気データが記録された情報記録媒体を処理する媒体処理装置の制御方法であって、
電磁力によって駆動して所定の動作対象物を動作させる駆動源の故障、および、前記読取用コイルの断線の少なくともいずれか一方を検知するために前記駆動源を駆動させる故障検知モードにおいて、前記読取用コイルが断線しておらず、かつ、前記駆動源が故障していない場合に、前記駆動源を駆動させた時に発生する磁気ノイズによって前記磁気ヘッドから出力された出力信号に基づく検出信号が生成されるように、前記駆動源を制御することを特徴とする媒体処理装置の制御方法。
【発明の詳細な説明】
【技術分野】
【０００１】
本発明は、磁気データが記録された情報記録媒体を処理する媒体処理装置、および、媒体処理装置の制御方法に関する。
【背景技術】
【０００２】
従来、情報記録媒体に記録された磁気データの読取や情報記録媒体への磁気データの記録を行う磁気ヘッドを備える媒体処理装置が知られている（たとえば、特許文献１参照）。特許文献１に記載の媒体処理装置では、磁気ヘッドは、磁気データを記録するための記録用コイルと、磁気データを読み取るための読取用コイルとを備えている。記録用コイルは、ドライバ回路に接続され、ドライバ回路は、ＣＰＵに接続されている。読取用コイルは、アンプに接続され、アンプは、波形整形器に接続され、波形整形器は、ドライバ回路が接続されるＣＰＵに接続されている。
【０００３】
特許文献１に記載の媒体処理装置では、記録用コイルに電流が供給されると、読取用コイルにも電流が流れて、磁気ヘッドから出力信号が出力され、波形整形器でリード信号が生成される。読取用コイルが断線しているときには、記録用コイルに電流が供給されても、読取用コイルに電流が流れず、リード信号が生成されないため、特許文献１に記載の媒体処理装置では、記録用コイルに電流が供給されたときに生成されるリード信号に基づいて、読取用コイルが断線しているか否かを検出することが可能である。また、記録用コイルが断線しているときには、記録用コイルへの電流の供給指令信号がＣＰＵからドライバ回路へ送られても、リード信号が生成されないため、特許文献１に記載の媒体処理装置では、リード信号に基づいて、記録用コイルが断線しているか否かを検出することも可能である。
【先行技術文献】
【特許文献】
【０００４】
【特許文献１】特開２００７−９５１１８号公報
【発明の概要】
【発明が解決しようとする課題】
【０００５】
上述のように、特許文献１に記載の媒体処理装置では、記録用コイルに電流が供給されたときに生成されるリード信号に基づいて、読取用コイルが断線しているか否かを検出することが可能である。しかしながら、磁気ヘッドの中には、記録用コイルを有しない読取専用の磁気ヘッドもあり、読取専用の磁気ヘッドの場合には、特許文献１に記載の方法で読取用コイルが断線しているか否かを検出することはできない。
【０００６】
そこで、本発明の課題は、搭載される磁気ヘッドが読取専用の磁気ヘッドであっても、簡易な構成で、磁気ヘッドの読取用コイルが断線しているか否かを検知することが可能な媒体処理装置を提供することにある。また、本発明の課題は、搭載される磁気ヘッドが読取専用の磁気ヘッドであっても、簡易な構成で、磁気ヘッドの読取用コイルが断線しているか否かを検知することが可能となる媒体処理装置の制御方法を提供することにある。
【課題を解決するための手段】
【０００７】
上記の課題を解決するため、本発明の媒体処理装置は、磁気データが記録された情報記録媒体を処理する媒体処理装置において、読取用コイルを有する磁気ヘッドと、所定の動作を行う動作対象物と、電磁力によって駆動して動作対象物を動作させる駆動源と、磁気ヘッドからの出力信号に基づいて検出信号を生成するとともに駆動源を制御する制御部とを備え、制御部は、読取用コイルの断線および駆動源の故障の少なくともいずれか一方を検知するために駆動源を駆動させる故障検知モードにおいて、読取用コイルが断線しておらず、かつ、駆動源が故障していない場合に、駆動源を駆動させた時に発生する磁気ノイズによって磁気ヘッドから出力された出力信号に基づく検出信号が生成されるように、駆動源を制御することを特徴とする。
【０００８】
本発明の媒体処理装置では、制御部は、故障検知モードにおいて、磁気ヘッドの読取用コイルが断線しておらず、かつ、所定の動作を行う動作対象物を動作させる駆動源が故障していない場合に、駆動源を駆動させた時に発生する磁気ノイズによって磁気ヘッドから出力された出力信号に基づく検出信号が生成されるように、駆動源を制御している。そのため、故障検知モードにおいて、読取用コイルが断線していない場合には、駆動源を駆動させた時に発生する磁気ノイズに基づいて検出信号が生成され、読取用コイルが断線している場合には、駆動源を駆動させても、検出信号が生成されない。したがって、本発明では、媒体処理装置に搭載される磁気ヘッドが記録用コイルを有しない読取専用の磁気ヘッドであっても、動作対象物を動作させる駆動源を駆動させるといった簡易な構成で、磁気ヘッドの読取用コイルが断線しているか否かを検知することが可能になる。
【０００９】
また、本発明では、駆動源が故障している場合には、故障検知モードにおいて、制御部から駆動源へ駆動指令信号が送られても、駆動源が駆動しないため、検出信号が生成されない。したがって、本発明では、簡易な構成で、駆動源が故障しているか否かを検出することも可能になる。
【００１０】
本発明において、媒体処理装置は、たとえば、動作対象物として、情報記録媒体が通過する媒体通過路を閉鎖するシャッタ部材を備え、駆動源は、シャッタ部材を動作させるソレノイドである。また、本発明において、媒体処理装置は、たとえば、動作対象物として、情報記録媒体に接触してデータをやりとりするためのＩＣ接点ブロックを備え、駆動源は、ＩＣ接点ブロックを動作させるソレノイドである。さらに、本発明において、媒体処理装置は、たとえば、情報記録媒体を搬送する搬送機構を備え、搬送機構は、動作対象物として、駆動ローラを備え、駆動源は、駆動ローラを動作させるモータである。
【００１１】
本発明において、駆動源は、ＰＷＭ（Ｐｕｌｓｅ  Ｗｉｄｔｈ  Ｍｏｄｕｌａｔｉｏｎ）制御によって制御され、制御部は、動作対象物を通常動作させるために駆動源を駆動させる通常動作モードと、故障検知モードとで、駆動源を制御するためのＰＷＭ信号の周波数を切り替えることが好ましい。このように構成すると、通常動作モードにおいて、駆動源を駆動させた時に発生する磁気ノイズが制御部で生成される検出信号に影響を与えない範囲のＰＷＭ信号の周波数によって駆動源を駆動させることで（すなわち、磁気データの読取結果に影響を与えるようなノイズが検出信号にのらない範囲のＰＷＭ信号の周波数によって駆動源を駆動させることで）、駆動源が駆動している状態でも、情報記録媒体に記録された磁気データを磁気ヘッドで適切に読み取ること等が可能になる。
【００１２】
本発明において、媒体処理装置は、情報記録媒体を搬送する搬送機構を備え、故障検知モードにおけるＰＷＭ信号の周波数は、搬送機構による情報記録媒体の搬送速度と情報記録媒体に記録された磁気データの記録密度とに基づいて設定されていることが好ましい。このように構成すると、故障検知モードにおいて、読取用コイルが断線しておらず、かつ、駆動源が故障していなければ、駆動源を駆動させた時に発生する磁気ノイズに基づいて検出信号を確実に生成することが可能になる。
【００１３】
本発明において、制御部は、たとえば、媒体処理装置が搭載される上位装置を制御する上位制御部に接続されている。この場合には、媒体処理装置の電源投入時に、媒体処理装置を故障検知モードに移行させて、読取用コイルの断線および駆動源の故障の少なくともいずれか一方を検知させても良いし、上位制御部から制御指令で、媒体処理装置を故障検知モードに移行させて、読取用コイルの断線および駆動源の故障の少なくともいずれか一方を検知させても良い。
【００１４】
また、上記の課題を解決するため、本発明の媒体処理装置の制御方法は、読取用コイルを有する磁気ヘッドを備え、磁気データが記録された情報記録媒体を処理する媒体処理装置の制御方法であって、電磁力によって駆動して所定の動作対象物を動作させる駆動源の故障、および、読取用コイルの断線の少なくともいずれか一方を検知するために駆動源を駆動させる故障検知モードにおいて、読取用コイルが断線しておらず、かつ、駆動源が故障していない場合に、駆動源を駆動させた時に発生する磁気ノイズによって磁気ヘッドから出力された出力信号に基づく検出信号が生成されるように、駆動源を制御することを特徴とする。
【００１５】
本発明の媒体処理装置の制御方法では、故障検知モードにおいて、磁気ヘッドの読取用コイルが断線しておらず、かつ、所定の動作対象物を動作させる駆動源が故障していない場合に、駆動源を駆動させた時に発生する磁気ノイズによって磁気ヘッドから出力された出力信号に基づく検出信号が生成されるように、駆動源を制御している。そのため、故障検知モードにおいて、読取用コイルが断線していない場合には、駆動源を駆動させた時に発生する磁気ノイズに基づいて検出信号が生成され、読取用コイルが断線している場合には、駆動源を駆動させても、検出信号が生成されない。したがって、本発明の制御方法を用いれば、媒体処理装置に搭載される磁気ヘッドが記録用コイルを有しない読取専用の磁気ヘッドであっても、動作対象物を動作させる駆動源を駆動させるといった簡易な構成で、磁気ヘッドの読取用コイルが断線しているか否かを検知することが可能になる。また、本発明では、駆動源が故障している場合には、故障検知モードにおいて、駆動源へ駆動指令信号が送られても、駆動源が駆動しないため、検出信号が生成されない。したがって、本発明の制御方法を用いれば、簡易な構成で、駆動源が故障しているか否かを検出することも可能になる。
【発明の効果】
【００１６】
以上のように、本発明の媒体処理装置では、搭載される磁気ヘッドが読取専用の磁気ヘッドであっても、簡易な構成で、磁気ヘッドの読取用コイルが断線しているか否かを検知することが可能になる。また、本発明の媒体処理装置の制御方法を用いれば、媒体処理装置に搭載される磁気ヘッドが読取専用の磁気ヘッドであっても、簡易な構成で、磁気ヘッドの読取用コイルが断線しているか否かを検知することが可能になる。
【図面の簡単な説明】
【００１７】
【図１】本発明の実施の形態にかかる媒体処理装置の概略構成を説明するための概略図である。
【図２】図１に示す媒体処理装置の制御部の概略構成を説明するためのブロック図である。
【図３】図１に示す媒体処理装置の故障検知モードにおける制御フローの一例を示すフローチャートである。
【発明を実施するための形態】
【００１８】
以下、図面を参照しながら、本発明の実施の形態を説明する。
【００１９】
（媒体処理装置の構成）
図１は、本発明の実施の形態にかかる媒体処理装置１の概略構成を説明するための概略図である。図２は、図１に示す媒体処理装置１の制御部１０の概略構成を説明するためのブロック図である。
【００２０】
本形態の媒体処理装置１は、情報記録媒体であるカード２に記録された磁気データを読み取るための磁気ヘッド３を備えるカードリーダであり、たとえば、ＡＴＭ（Ａｕｔｏｍａｔｅｄ  Ｔｅｌｌｅｒ  Ｍａｃｈｉｎｅ）等の所定の上位装置に搭載されて使用される。媒体処理装置１の内部には、カード２が通過する媒体通過路（カード搬送路）４が形成されている。この媒体処理装置１は、磁気ヘッド３に加え、図１に示すように、カード２に接触してカード２とデータをやりとりするためのＩＣ接点ブロック５と、カード２を搬送する搬送機構６と、媒体通過路４を閉鎖するシャッタ部材７と、媒体処理装置１にカード２が挿入されたことを検知するためのプリヘッド（磁気ヘッド）８とを備えている。
【００２１】
また、媒体処理装置１は、図２に示すように、プリヘッド８から出力される出力信号に基づいて検出信号を生成する制御部１０を備えている。制御部１０は、媒体処理装置１が搭載される上位装置を制御する上位制御部１１に接続されている。また、制御部１０は、磁気ヘッド３から出力される出力信号に基づいて検出信号を生成する機能を果たしている。なお、図２では、制御部１０に接続される磁気ヘッド３の図示を省略している。
【００２２】
本形態では、図１に示すＸ方向にカード２が搬送されて通過する。また、本形態では、図１に示すＸ１方向にカード２が挿入され、Ｘ２方向にカード２が排出される。以下の説明では、Ｘ１方向側を「奥（後ろ）」側、Ｘ２方向側を「前」側とする。
【００２３】
カード２は、たとえば、厚さが０．７〜０．８ｍｍ程度の矩形状の塩化ビニール製のカードである。カード２の裏面には、磁気データが記録される磁気ストライプが形成されている。また、カード２には、ＩＣチップが内蔵されており、カード２の表（おもて）面には、ＩＣチップに繋がる端子部が形成されている。なお、カード２には、通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２４】
磁気ヘッド３は、媒体処理装置１の本体部の内部に配置されている。また、磁気ヘッド３は、そのギャップ部が媒体通過路４に臨むように配置されている。本形態の磁気ヘッド３は、磁気データの記録と読取とが可能な磁気ヘッドであり、コアと、このコアに巻回される読取用のコイル（読取用コイル）および記録用のコイル（記録用コイル）とを備えている。
【００２５】
プリヘッド８は、媒体処理装置１の前端側部分を構成するカード挿入部の内部に配置されている。また、プリヘッド８は、そのギャップ部が媒体通過路４に臨むように配置されている。このプリヘッド８は、読取専用の磁気ヘッドである。すなわち、プリヘッド８は、コアと、コアに巻回される読取用コイルとを備えているが、記録用コイルは備えていない。
【００２６】
ＩＣ接点ブロック５は、カード２の端子部に接触する接点バネを備えている。ＩＣ接点ブロック５には、所定の動力伝達機構を介してソレノイド１３が連結されている。ＩＣ接点ブロック５は、ソレノイド１３の動力によって、媒体通過路４に近づいて接点バネがカード２の端子部に接触する接触位置と、媒体通過路４から退避する退避位置との間で移動可能となっている。本形態では、ＩＣ接点ブロック５は、所定の付勢部材によって退避位置に向かって付勢されており、ソレノイド１３が駆動すると、退避位置から接触位置へ移動する。
【００２７】
搬送機構６は、カード２に接触してカード２を搬送する駆動ローラ１４と、駆動ローラ１４に対向配置されるパッドローラ１５とを備えている。駆動ローラ１４には、所定の動力伝達機構を介してモータ１６が連結されている。駆動ローラ１４は、モータ１６の動力によって回転して、カード２を搬送する。パッドローラ１５は、駆動ローラ１４に向かって付勢されている。
【００２８】
シャッタ部材７は、媒体処理装置１の前端側に配置されている。シャッタ部材７には、所定の動力伝達機構を介してソレノイド１７が連結されている。シャッタ部材７は、ソレノイド１７の動力によって、媒体通過路４を塞ぐ閉位置と、媒体通過路４を開放する開位置との間で移動可能となっている。本形態では、シャッタ部材７は、所定の付勢部材によって閉位置に向かって付勢されており、ソレノイド１７が駆動すると、閉位置から開位置へ移動する。
【００２９】
ソレノイド１３は、前後方向における媒体処理装置１の中間位置に配置され、モータ１６は、媒体処理装置１の奥端側に配置され、ソレノイド１７は、媒体処理装置１の前端側に配置されている。本形態では、ソレノイド１７は、ソレノイド１３およびモータ１６よりもプリヘッド８に近い位置に配置されている。
【００３０】
制御部１０は、図２に示すように、プリヘッド８からの出力信号を処理する検出回路２０と、ソレノイド１３を駆動するドライバ（駆動回路）２１と、モータ１６を駆動するドライバ（駆動回路）２２と、ソレノイド１７を駆動するドライバ（駆動回路）２３と、ＣＰＵ（Ｃｅｎｔｒａｌ  Ｐｒｏｃｅｓｓｉｎｇ  Ｕｎｉｔ）２４とを備えている。また、制御部１０は、磁気ヘッド３からの出力信号を処理する検出回路（図示省略）も備えている。制御部１０は、プリヘッド８から出力される出力信号に基づいて検出信号を生成する機能、および、磁気ヘッド３から出力される出力信号に基づいて検出信号を生成する機能に加え、ソレノイド１３、１７およびモータ１６を制御する機能を果たしている。
【００３１】
検出回路２０は、増幅回路、フィルタ回路および波形整形回路等によって構成されている。この検出回路２０は、プリヘッド８から出力される正弦波状の出力信号を処理して、矩形波状の検出信号を生成する。検出回路２０で生成された検出信号は、ＣＰＵ２４に入力され、ＣＰＵ２４で所定の処理が行われる。
【００３２】
ドライバ２１〜２３は、ＣＰＵ２４からの制御信号に基づいて、ソレノイド１３、１７およびモータ１６を駆動する。本形態では、ソレノイド１３、１７およびモータ１６は、ＰＷＭ制御によって制御されており、ドライバ２１〜２３には、ソレノイド１３、１７およびモータ１６を制御するためのＰＷＭ信号がＣＰＵ２４から入力される。
【００３３】
ドライバ２１に入力されるＰＷＭ信号の周波数は、検出回路２０を構成するフィルタ回路によって取り出される帯域の周波数よりも高く、あるいは、低くなっており、ソレノイド１３の駆動時にソレノイド１３から発生する磁気ノイズによってプリヘッド８から出力信号が出力されても、検出回路２０で検出信号が生成されることはない。同様に、ドライバ２２に入力されるＰＷＭ信号の周波数は、検出回路２０を構成するフィルタ回路によって取り出される帯域の周波数よりも高く、あるいは、低くなっており、モータ１６の駆動時にモータ１６から発生する磁気ノイズによってプリヘッド８から出力信号が出力されても、検出回路２０で検出信号が生成されることはない。
【００３４】
検出回路２０を構成するフィルタ回路によって取り出される帯域の周波数は、磁気ヘッド３やプリヘッド８でカード２の磁気データが読み取られるときに、磁気ヘッド３やプリヘッド８から出力される出力信号の周波数である。この周波数は、搬送機構６によるカード２の搬送速度とカード２に記録された磁気データの記録密度とに基づいて定まる。たとえば、カード２の搬送速度が１９０ｍｍ／ｓｅｃであり、カード２の記録密度が２１０ＢＰＩ（Ｂｉｔ  Ｐｅｒ  Ｉｎｃｈ）である場合、カード２に記録された磁気データが”０”であれば、この周波数は、約０．８ｋＨｚとなり、カード２に記録された磁気データが”１”であれば、この周波数は、約１．６ｋＨｚとなる。そのため、本形態では、たとえば、約０．８ｋＨｚよりも低い周波数、あるいは、約１．６ｋＨｚよりも高い周波数のＰＷＭ信号がドライバ２１およびドライバ２２に入力される。
【００３５】
ここで、本形態では、媒体処理装置１へのカード２の取込動作に伴ってシャッタ部材７を開放するためにソレノイド１７を駆動させる通常動作モードと、プリヘッド８の読取用コイルの断線およびソレノイド１７の故障の少なくともいずれか一方を検知するためにソレノイド１７を駆動させる故障検知モードとの２つのモードで、ソレノイド１７を駆動させる。なお、故障検知モードでは、媒体処理装置１の中にカード２が取り込まれていない状態でソレノイド１７を駆動させる。
【００３６】
通常動作モードにおいて、ドライバ２３に入力されるＰＷＭ信号の周波数は、検出回路２０のフィルタ回路によって取り出される帯域の周波数よりも高く、あるいは、低くなっており、ソレノイド１７の駆動時にソレノイド１７から発生する磁気ノイズによってプリヘッド８から出力信号が出力されても、検出回路２０で検出信号が生成されることはない。たとえば、通常動作モードにおいては、約０．８ｋＨｚよりも低い周波数、あるいは、約１．６ｋＨｚよりも高い周波数のＰＷＭ信号がドライバ２３に入力される。
【００３７】
一方、故障検知モードにおいて、ドライバ２３に入力されるＰＷＭ信号の周波数は、検出回路２０のフィルタ回路によって取り出される帯域の周波数となっており、ソレノイド１７の駆動時にソレノイド１７から発生する磁気ノイズによってプリヘッド８から出力信号が出力されると、検出回路２０で検出信号が生成されて出力される。すなわち、故障検知モードにおいて、プリヘッド８の読取用コイルが断線しておらず、かつ、ソレノイド１７が故障していない場合には、ソレノイド１７の駆動時にソレノイド１７から発生する磁気ノイズによってプリヘッド８から出力信号が出力され、この出力信号に基づく検出信号が検出回路２０で生成される。たとえば、故障検知モードにおいては、約０．８ｋＨｚを含む周波数、あるいは、約１．６ｋＨｚを含む周波数のＰＷＭ信号がドライバ２３に入力される。すなわち、故障検知モードにおいてドライバ２３に入力されるＰＷＭ信号の周波数は、検出回路２０のフィルタ回路によって取り出される帯域の周波数となるように、搬送機構６によるカード２の搬送速度とカード２に記録された磁気データの記録密度とに基づいて予め設定されている。
【００３８】
このように、ＣＰＵ２４およびドライバ２３は、故障検知モードにおいて、プリヘッド８の読取用コイルが断線しておらず、かつ、ソレノイド１７が故障していない場合に、ソレノイド１７の駆動時に発生する磁気ノイズによってプリヘッド８から出力された出力信号に基づく検出信号が生成されるように、ソレノイド１７を制御している。具体的には、ＣＰＵ２４は、通常動作モードと故障検知モードとで、ドライバ２３に向かって出力するＰＷＭ信号の周波数を切り替えている。
【００３９】
なお、本形態のシャッタ部材７は、所定の動作を行う動作対象物であり、ソレノイド１７は、電磁力によって駆動して動作対象物であるシャッタ部材７を動作させる駆動源である。
【００４０】
（故障検知モードにおける媒体処理装置の制御方法）
図３は、図１に示す媒体処理装置１の故障検知モードにおける制御フローの一例を示すフローチャートである。
【００４１】
媒体処理装置１は、媒体処理装置１の電源投入時に、あるいは、上位制御部１１から制御部１０に入力される制御指令によって、故障検知モードへ移行する。なお、媒体処理装置１が故障検知モードへ移行するときには、媒体処理装置１の内部にカード２は取り込まれていない。
【００４２】
媒体処理装置１が故障検知モードへ移行すると、ＣＰＵ２４は、検出回路２０のフィルタ回路によって取り出される周波数帯域のＰＷＭ信号をドライバ２３へ出力する（ステップＳ１）。その後、ＣＰＵ２４は、検出回路２０から検出信号が入力されるか否かを判断する（ステップＳ２）。
【００４３】
プリヘッド８の読取用コイルが断線しておらず、かつ、ソレノイド１７が故障していない場合には、ソレノイド１７の駆動時にソレノイド１７から発生する磁気ノイズによってプリヘッド８から出力された出力信号に基づく検出信号が検出回路２０で生成され、検出回路２０からＣＰＵ２４へ検出信号が入力される（ステップＳ２にて“Ｙｅｓ”）。したがって、この場合には、制御部１０は、プリヘッド８の読取用コイルが断線しておらず、かつ、ソレノイド１７が故障していないとの正常応答信号を上位制御部１１へ送る（ステップＳ３）。
【００４４】
一方、プリヘッド８の読取用コイルの断線、および、ソレノイド１７の故障の少なくともいずれか一方が発生している場合には、プリヘッド８から出力信号が出力されないため、検出回路２０で検出信号が生成されず、検出回路２０からＣＰＵ２４へ検出信号が入力されない（ステップＳ２にて“Ｎｏ”）。したがって、この場合には、制御部１０は、プリヘッド８の読取用コイルの断線、および、ソレノイド１７の故障の少なくともいずれか一方が発生しているとの異常応答信号を上位制御部１１へ送る（ステップＳ４）。
【００４５】
（本形態の主な効果）
以上説明したように、本形態では、故障検知モードにおいて、プリヘッド８の読取用コイルが断線しておらず、かつ、ソレノイド１７が故障していない場合に、ソレノイド１７の駆動時に発生する磁気ノイズによってプリヘッド８から出力信号が出力され、この出力信号に基づく検出信号が検出回路２０で生成される。一方、故障検知モードにおいて、プリヘッド８の読取用コイルの断線、および、ソレノイド１７の故障の少なくともいずれか一方が発生している場合には、プリヘッド８から出力信号が出力されず、検出回路２０で検出信号が生成されない。したがって、本形態では、プリヘッド８が記録用コイルを有しない読取専用の磁気ヘッドであっても、シャッタ部材７を動作させるソレノイド１７を駆動させるといった簡易な構成で、プリヘッド８の読取用コイルの断線を検知することが可能になる。また、本形態では、簡易な構成で、ソレノイド１７の故障を検知することが可能になる。
【００４６】
本形態では、故障検知モードにおいてドライバ２３に入力されるＰＷＭ信号の周波数は、搬送機構６によるカード２の搬送速度とカード２に記録された磁気データの記録密度とに基づいて設定されており、検出回路２０のフィルタ回路によって取り出される帯域の周波数となっている。そのため、本形態では、故障検知モードにおいて、プリヘッド８の読取用コイルが断線しておらず、かつ、ソレノイド１７が故障していなければ、ソレノイド１７を駆動させた時に発生する磁気ノイズに基づいて検出回路２０で検出信号を確実に生成することが可能になる。
【００４７】
本形態では、通常動作モードにおいて、ドライバ２３に入力されるＰＷＭ信号の周波数は、検出回路２０のフィルタ回路によって取り出される帯域の周波数よりも高く、あるいは、低くなっている。そのため、通常動作モードにおいて、ソレノイド１７が駆動している状態で、プリヘッド８によってカード２が挿入されたか否かの検知を行っても、カード２が挿入されたか否かを適切に検知することが可能になる。また、通常動作モードにおいて、ソレノイド１７が駆動している状態で、磁気ヘッド３がカード２の磁気データを読み取っても、磁気データを適切に読み取ることが可能になる。
【００４８】
（他の実施の形態）
上述した形態は、本発明の好適な形態の一例ではあるが、これに限定されるものではなく本発明の要旨を変更しない範囲において種々変形実施が可能である。
【００４９】
上述した形態では、ＣＰＵ２４は、通常動作モードと故障検知モードとで、ドライバ２３に向かって出力するＰＷＭ信号の周波数を切り替えている。この他にもたとえば、故障検知モードにおけるＰＷＭ信号の周波数を通常動作モードにおけるＰＷＭ信号の周波数に一致させるとともに、故障検知モードにおいて、プリヘッド８の読取用コイルが断線しておらず、かつ、ソレノイド１７が故障していない場合に、ソレノイド１７の駆動時に発生する磁気ノイズによってプリヘッド８から出力された出力信号に基づく検出信号が生成されるように、検出回路２０で出力信号を処理しても良い。たとえば、通常動作モードおよび故障検知モードにおいてドライバ２３に入力されるＰＷＭ信号の周波数が検出回路２０のフィルタ回路によって取り出される帯域の周波数となるようなフィルタ回路を検出回路２０に設け、プリヘッド８から出力された出力信号に基づいて検出回路２０で検出信号を生成しても良い。
【００５０】
上述した形態では、通常動作モードと故障検知モードとの２つのモードで、ソレノイド１７を駆動させるとともに、故障検知モードにおいて、ソレノイド１７の駆動時に発生する磁気ノイズを利用することで、プリヘッド８の読取用コイルの断線の検知を可能としている。この他にもたとえば、ＩＣ接点ブロック５の接点バネがカード２の端子部に接触するようにＩＣ接点ブロック５を退避位置から接触位置へ移動させるためにソレノイド１３を駆動させる通常動作モードと、プリヘッド８の読取用コイルの断線およびソレノイド１３の故障の少なくともいずれか一方を検知するためにソレノイド１３を駆動させる故障検知モードとの２つのモードで、ソレノイド１３を駆動させるとともに、故障検知モードにおいて、ソレノイド１３の駆動時に発生する磁気ノイズを利用することで、プリヘッド８の読取用コイルの断線の検知を可能としても良い。なお、この場合には、故障検知モードにおいて、媒体処理装置１の中にカード２が取り込まれていない状態でソレノイド１３を駆動させる。
【００５１】
この場合には、通常動作モードにおいては、ドライバ２１に入力されるＰＷＭ信号の周波数は、検出回路２０のフィルタ回路によって取り出される帯域の周波数よりも高く、あるいは、低くなっている。一方、故障検知モードにおいては、ドライバ２１に入力されるＰＷＭ信号の周波数は、検出回路２０のフィルタ回路によって取り出される帯域の周波数となっている。なお、この場合には、ＩＣ接点ブロック５は、所定の動作を行う動作対象物であり、ソレノイド１３は、電磁力によって駆動して動作対象物であるＩＣ接点ブロック５を動作させる駆動源である。
【００５２】
また、媒体処理装置１に取り込まれたカード２を搬送するためにモータ１６を駆動させる通常動作モードと、プリヘッド８の読取用コイルの断線およびモータ１６の故障の少なくともいずれか一方を検知するためにモータ１６を駆動させる故障検知モードとの２つのモードで、モータ１６を駆動させるとともに、故障検知モードにおいて、モータ１６の駆動時に発生する磁気ノイズを利用することで、プリヘッド８の読取用コイルの断線の検知を可能としても良い。なお、この場合には、故障検知モードにおいて、媒体処理装置１の中にカード２が取り込まれていない状態でモータ１６を駆動させる。
【００５３】
この場合には、通常動作モードにおいては、ドライバ２２に入力されるＰＷＭ信号の周波数は、検出回路２０のフィルタ回路によって取り出される帯域の周波数よりも高く、あるいは、低くなっている。一方、故障検知モードにおいては、ドライバ２２に入力されるＰＷＭ信号の周波数は、検出回路２０のフィルタ回路によって取り出される帯域の周波数となっている。この場合には、通常動作モードにおいて、ドライバ２２に入力されるＰＷＭ信号の周波数が、検出回路２０のフィルタ回路によって取り出される帯域の周波数よりも高く、あるいは、低くなっているため、モータ１６が駆動している状態で、プリヘッド８によってカード２が挿入されたか否かの検知を行っても、カード２が挿入されたか否かを適切に検知することが可能になる。また、通常動作モードにおいて、ドライバ２２に入力されるＰＷＭ信号の周波数が、検出回路２０のフィルタ回路によって取り出される帯域の周波数よりも高く、あるいは、低くなっているため、モータ１６が駆動している状態で、磁気ヘッド３がカード２の磁気データを読み取っても、磁気データを適切に読み取ることが可能になる。なお、この場合には、駆動ローラ１４は、所定の動作を行う動作対象物であり、モータ１６は、電磁力によって駆動して動作対象物である駆動ローラ１４を動作させる駆動源である。
【００５４】
上述した形態では、ソレノイド１３、１７およびモータ１６は、ＰＷＭ制御によって制御されている。この他にもたとえば、ソレノイド１３、１７およびモータ１６は、その駆動中に所定値の電圧が常時印加される電圧制御等によって制御されても良い。この場合には、たとえば、故障検知モードにおいて、検出回路２０のフィルタ回路によって取り出される帯域の周波数で、ソレノイド１３、１７またはモータ１６のオンオフを繰り返せば、ソレノイド１３、１７またはモータ１６の駆動時に発生する磁気ノイズを利用して、プリヘッド８の読取用コイルの断線を検知することが可能になる。
【００５５】
上述した形態では、ソレノイド１７の駆動時に発生する磁気ノイズを利用して、プリヘッド８の読取用コイルの断線を検知することが可能になっている。この他にもたとえば、ソレノイド１７の駆動時に発生する磁気ノイズを利用して、磁気ヘッド３の読取用コイルの断線を検知することが可能になっていても良い。また、この場合には、ソレノイド１３またはモータ１６の駆動時に発生する磁気ノイズを利用して、磁気ヘッド３の読取用コイルの断線を検知することが可能になっていても良い。なお、上述した形態では、ソレノイド１３は、ソレノイド１７およびモータ１６よりも磁気ヘッド３に近い位置に配置されているため、ソレノイド１３の駆動時に発生する磁気ノイズを利用して、磁気ヘッド３の読取用コイルの断線を検知することが可能になっていることが好ましい。
【００５６】
上述した形態では、媒体処理装置１は、搬送機構６を備えるカード搬送式のカードリーダであるが、本発明の構成が適用される媒体処理装置１は、ユーザが手動でカード２を移動させながら、磁気データの読取を行う手動式のカードリーダであっても良い。
【符号の説明】
【００５７】
１  媒体処理装置
２  カード（情報記録媒体）
３  磁気ヘッド
４  媒体通過路
５  ＩＣ接点ブロック（動作対象物）
６  搬送機構
７  シャッタ部材（動作対象物）
８  プリヘッド（磁気ヘッド）
１０  制御部
１１  上位制御部
１３  ソレノイド（駆動源）
１４  駆動ローラ（動作対象物）
１６  モータ（駆動源）
１７  ソレノイド（駆動源）
【図１】
0005886098.tif 000002
【図２】
0005886098.tif 000003
【図３】
0005886098.tif 000004